(57)【要約】【課題】  適度な操作感が得られると共に、操作解除時の戻り衝撃音を小さくすることができるようにする。【解決手段】  可動子１４は可動部１５とスカート部１６とを一体に有しており、可動部１５の下面には固定接点１２、１３と対向する可動接点１７が設けられている。さらに、スイッチケース１１には前記可動子１４の可動部１５を押圧操作するための操作子１８が移動可能に設けられている。上記スカート部１６はスカート状（ほぼ円錐状）をなしている。そして、この下端部１６ａより上の部分である裾部１６ｂは、他の部分より薄肉に形成されている。【選択図】  図１
2005056703.tif 000002
【特許請求の範囲】
【請求項１】
固定接点に対応する可動接点が設けられた可動部と、この可動部にスカート形に広がるように形成されたラバー製のスカート部とを備えたスイッチの可動子であって、
前記スカート部の裾部の弾性復元力を他の部分よりも弱くなる構成としたことを特徴とするスイッチの可動子。
【請求項２】
前記スカート部の裾部が他の部分より薄肉に構成されていることを特徴とする請求項１記載のスイッチの可動子。
【請求項３】
前記スカート部の裾部の広がり度合いが他の部分の広がり度合いよりも大きく構成されていることを特徴とする請求項１記載のスイッチの可動子。
【発明の詳細な説明】
【技術分野】
【０００１】
本発明は、可動子がラバー製でほぼスカート形をなすところのいわゆるラバースイッチなどのスイッチの可動子に関する。
【背景技術】
【０００２】
従来、スイッチとしていわゆるラバースイッチがある。これは、図５に示すように、スイッチケース１の底部に固定接点２、３を設け、このスイッチケース１の内部にラバー製の可動子４を設けている。この可動子４は可動部５とスカート部６とを一体に有しており、可動部５の下面には固定接点２、３と対向する可動接点７が設けられている。さらに、スイッチケース１には前記可動子４の可動部５を押圧操作するための操作子８が移動可能に設けられている。
【０００３】
このものにおいてはユーザーもしくは他の機構により操作子８が矢印Ａ方向に押圧されると、スカート部６が屈曲変形することで、操作感いわゆるクリック感が得られると共に、可動子５が下方へ移動し、可動接点７が固定接点２、３と導通してスイッチオンとなる。
図６には操作のストロークに対する操作荷重の関係を示している。この図から分かるように、押圧操作の開始からほぼ直線的に操作力（荷重）が増加し、ある範囲Ｓａでスカート部６の屈曲により操作力が減少し、これが操作感、つまりクリック感となる。
【０００４】
この後、押圧操作力が解除されると、スカート部６が弾性復帰することにより可動部５及び操作子８が元位置状態に復帰する。このときのスカート部６の弾性復元力の変化度合い（ストロークＳが小さくなる方向）は前記図６に示す操作荷重とほぼ同等となる。
なお、この操作子８は図示しないストッパによって元位置に規制されるようになっている。上述のようなスイッチの可動子としては特許文献１に記載されている。
【特許文献１】特開平６−２２３６７５号公報
【発明の開示】
【発明が解決しようとする課題】
【０００５】
ところが、上記従来の構成では、押圧操作力が解除されたときに、操作子８などに戻り音などの衝撃音が発生することがあった。
従って、本発明の目的は、適度な操作感が得られると共に、操作解除時の戻り衝撃音を小さくすることができるようにする。
【課題を解決するための手段】
【０００６】
請求項１の発明によれば、スカート部の裾部の弾性復元力を他の部分よりも弱くなる構成とすることにより、スカート部が弾性復元するときに操作子などの衝撃音が小さくなる。なお、スカート部全体を弾性復元力が弱くなるようにしても良いように考えられるが、このようにすると、適度な操作感が得られないものである。しかるに請求項１の発明によれば、スカート部の裾部の他の部分は相対的に弾性復元力が強いから、適度な操作感いわゆるクリック感が得られる。
【０００７】
この場合、請求項２の発明のように、前記スカート部の裾部を他の部分より薄肉に構成するようにしても良いし、また、請求項３の発明のように、スカート部の裾部の広がり度合いを他の部分の広がり度合いよりも大きく構成するようにしても良い。
【発明を実施するための最良の形態】
【０００８】
以下、本発明の第１の実施例を図１及び図２を参照して説明する。スイッチ１０はいわゆるタクトスイッチであり、そのスイッチケース１１は上面が開口した箱状をなしている。このスイッチケース１１の底部には、固定接点１２、１３が設けられている。また、スイッチケース１１の内部にはラバー製の可動子１４を設けられている。
この可動子１４は可動部１５とスカート部１６とを一体に有しており、可動部１５の下面には固定接点１２、１３と対向する例えばカーボン接点からなる可動接点１７が設けられている。さらに、スイッチケース１１には前記可動子１４の可動部１５を押圧操作するための操作子１８が移動可能に設けられている。
【０００９】
上記スカート部１６は、可動部１５からスカート形（ほぼ円錐状）に広がる形態をなしている。そして、このスカート部１６の下端部の円環部１６ａが前記ケース１１の底部に接着されている。そして、この円環部１６ａに連なる部分である裾部１６ｂは、他の部分より薄肉に形成されている。なお、前記固定接点１２、１３はケース１１外に導出されていて、プリント基板１９の導体パターンに接続されている。
【００１０】
このものにおいては、ユーザーもしくは他の機構により操作子１８が矢印Ａ方向に押圧されると、スカート部１６が屈曲変形することで、操作感いわゆるクリック感が得られると共に、可動子１５が下方へ移動し、可動接点１７が固定接点１２、１３と導通してスイッチオンとなる。
図２には操作のストロークに対する操作荷重の関係を示している。この図から分かるように、押圧操作の開始初期（符号Ｓ１でしめす範囲）に傾きFr/Srで直線的に操作力（荷重）が増加し、その後、大きな傾きの直線的な操作力となり、ある範囲Ｓａ１で操作力が減少し、これが操作感、つまりクリック感が発生する。
【００１１】
ここで、上述の押圧操作の開始初期には、操作荷重の増加度合が緩やか（勾配はFr/Sr）となる。これは、スカート部１６の裾部１６ｂの肉厚が他の部分よりも薄くて弾発力が小さい（ばね定数が小さい）ことによる。
この後、押圧操作力が解除されると、スカート部１６が弾性復帰することにより可動部１５及び操作子１８が元位置状態に復帰する。このときのスカート部１６の弾性復元力の変化度合い（ストロークＳが小さくなる方向）は前記図２に示す操作荷重とほぼ同等となる。すなわち、ストロークＳがゼロに近づく領域である前記範囲Ｓ１では、スカート部１６の裾部１６ｂが弾性復元することにより弾性復元力がそれまでより弱くなる。この結果、操作解除時の戻り衝撃音を小さくすることができる。
【００１２】
図３は本発明の第２の実施例を示しており、この実施例におけるスイッチ２０は、パネル２１に矢印Ｂ方向及びその反対方向に移動可能に設けられた操作子２２と、この操作子２２の下端部の一部部分により押圧操作される可動子２３と、固定接点２４、２５を形成したプリント基板２６とを有して構成されている。なお、操作子２２は図示しない復帰用ばねにより元位置に復帰されるようになっている。
【００１３】
前記可動子２３は前記第１の実施例の可動子１４と同一構成であり、可動部１５、スカート部１６、円環部１６ａ、薄肉な裾部１６ｂを有する。
この構成においても、操作解除時の戻り衝撃音を小さくすることができる。
なお、操作子は一端部を回動可能に枢支し、他端部にて可動子を押圧操作する構成としても良い。
【００１４】
図４は本発明の第３の実施例を示しており、この実施例においては、次の点が第１の実施例と異なる。すなわち、スカート部１６は均一な肉厚であり、その裾部１６ｂの広がり度合いが他の部分の広がり度合いよりも大きく形成されている。このような構成としても、この裾部１６ｂにおける弾性復元力が他の部分よりも弱くなって、第１の実施例と同様の効果を得ることができる。
【００１５】
本発明は上記した各実施例に限定させるものではなく、例えば裾部１６ｂは断面波形に形成することで、弾性復元力を他の部分よりも弱くする構成としても良い。
【図面の簡単な説明】
【００１６】
【図１】本発明の第１の実施例を示すスイッチ全体の縦断正面図
【図２】操作ストロークと操作荷重の関係を示す図
【図３】本発明の第２の実施例を示す図１相当図
【図４】本発明の第３の実施例を示す図１相当図
【図５】従来例を示す図１相当図
【図６】図２相当図
【符号の説明】
【００１７】
図面中、１０はスイッチ、１２、１３は固定接点、１４は可動子、１５は可動部、１６はスカート部、１６ｂは裾部、１７は可動接点を示す。
【図１】
2005056703.tif 000003
【図２】
2005056703.tif 000004
【図３】
2005056703.tif 000005
【図４】
2005056703.tif 000006
【図５】
2005056703.tif 000007
【図６】
2005056703.tif 000008